(57)【要約】      （修正有） 【課題】パソコンのキーボードを初心者のうちから、各指の押さえるキーを正確に、かつ、楽に覚えることのできるパソコン用キーボードの練習用具を提供する。【解決手段】パソコン用キーボードＸの各キー全体を覆うキーボードカバー１と、両手の各指に装着する装着部材２とからなり、キーボードカバー１表面に形成された各キーの全部、あるいは一部のキー凸部３群を、キーボードカバー１の略中央より左右に二分し、この二分されたキーの凸部３群を、それぞれ、指の本数と同じ５つの区分に分けて、その区分の境界線Ｙ、あるいはその区分の境界線で囲まれたエリアにそれぞれ異なった色４ａ，４ｂ，４ｃ，４ｄ，４ｅに着色し、一方、手の各指に、境界線に着色した色、あるいはエリアと同一色を装着部材２に設ける。【選択図】      図１
0003138001.tif 000002
【実用新案登録請求の範囲】
【請求項１】
パソコン用キーボード（Ｘ）の各キー全体を覆うキーボードカバー（１）と、両手の各指に装着する装着部材（２）とからなり、キーボードカバー（１）表面に形成された各キーの全部、あるいは一部のキー凸部（３）群を、キーボードカバー（１）の略中央より左右に二分し、この二分されたキーの凸部（３）群を、それぞれ、指の本数と同じ５つの区分に分けて、その区分の境界線（Ｙ）、あるいはその区分の境界線で囲まれたエリア（Ｚ）にそれぞれ異なった色（４ａ，４ｂ，４ｃ，４ｄ，４ｅ）に着色し、一方、手の各指に、境界線に着色した色、あるいはエリア（Ｙ′）と同一色を装着部材（２）に設けたことを特徴とするパソコン用キーボードの練習用具。
【請求項２】
装着部材（２）が、布、毛糸、紐、ゴム、指輪から選ばれたものであることを特徴とする請求項１記載のパソコン用キーボードの練習用具。
【考案の詳細な説明】
【技術分野】
【０００１】
この考案は、パソコン用キーボードの練習用具に関する。  
【背景技術】
【０００２】
従来より、パソコン（パーソナル・コンピューター）の使用に当たっては、その操作にマウスを使用する場合と、パソコンのキーボードを指で正しく押さえることによって、パソコンの機能が有効に作動するものとがあり、特に、キーボードを使用する場合には、それぞれオペレーターの両手の指を使って、正確で無理のない（疲れない）指さばきで、効率よく各キーを押さえて使用することが必要があった。
【０００３】
しかし、初期の段階において正式な指の運びになれる必要があり、即ち，左右の手の指のうち、どの指を使って、所定のキーを押さえるべきかを覚える必要がある。
【０００４】
そこで、両手の各指の押さえるキーのエリアを予め、注意喚起できる色で定めておき、指のカバーするキーボードのキーのエリアにすばやくタッチできるよう，容易に慣れることにある。尚、キーボードを保護するためのキーボードカバーは既に知られており、市販も去れている。例えば、特許文献１のように。
【特許文献１】特開２００４−３５５５２９号公報
【考案の開示】
【考案が解決しようとする課題】
【０００５】
そこで、本願出願人の解決しようとする問題点は、パソコンのキーボードを初心者のうちから、各指の押さえるキーを正確に、かつ、楽に覚えることのできるパソコン用キーボードの練習用具を開発・提供することにある。
【課題を解決するための手段】
【０００６】
このため、この考案は、パソコン用キーボードの各キー全体を覆うキーボードカバーを利用して、キーボードカバー表面に形成された各キーの凸部群を、キーボードカバーの中央より左右に二分し、この二分されたキーの凸部群を、それぞれ、使用者の両手の指の本数である５つづつの区分に分けて、その区分の境界線にそれぞれ異なった色に着色し、一方、使用者の両手の各指に装着する装着部材とからなり、手の各指に、境界線に着色した色と同一色を装着部材とするパソコン用キーボードの練習用具である。
【考案の効果】
【０００７】
この考案によると、両手の各指に装着した装着部材（２）に着色した色と、キーボードカバー（１）に着色された色の境界線（Ｙ）のエリアのキーに、指を持って行って押さえることにより、早く指を使用するキーの場所を極自然に早く覚えることができる等の極めて有益なる効果を奏する。
【考案を実施するための最良の形態】
【０００８】
次に、この考案の最適な実施例を詳述すると、パソコン用キーボードの各キー全体を覆うキーボードカバーと、両手の各指に装着する装着部材とからなり、キーボードカバー表面に形成された各キーの凸部群を、キーボードカバーの中央より左右に二分し、この二分されたキーの凸部群を、それぞれ、指の本数である５つの区分に分けて、その区分の境界線にそれぞれ異なった色に着色し、一方、手の各指に、境界線に着色した色と同一色を装着部材としたことを特徴とするパソコン用キーボードの練習用具である。
【実施例】
【０００９】
この考案の一実施例を図面に従って詳述すると、パソコン用キーボード（Ｘ）の各キー全体を覆うキーボードカバー（１）と、両手の各指に装着する装着部材（２）とからなり、キーボードカバー（１）表面に形成された各キーの全部、あるいは一部のキー凸部（３）群を、キーボードカバー（１）の略中央より左右に二分し、この二分されたキーの凸部（３）群を、それぞれ、指の本数と同じ５つの区分に分けて、その区分の境界線（Ｙ）、あるいはその区分の境界線で囲まれたエリア（Ｚ）にそれぞれ異なった色（４ａ，４ｂ，４ｃ，４ｄ，４ｅ）に着色し、一方、手の各指に、境界線に着色した色、あるいはエリア（Ｙ′）と同一色を装着部材（２）に設けたことを特徴とするパソコン用キーボードの練習用具から構成されるものである。
【００１０】
尚、キーボードカバー（１）において、境界線（Ｙ）、あるいは境界線に囲まれたエリア（Ｙ′）にそれぞれ異なった色（４）を着色する部分は、メインのキー（Ｚ）部分だけであってもよいものである。但し、境界線に囲まれたエリア（Ｙ′）のキーボードカバー（１）の裏面に着色する色は、薄い色とし、キーボード（Ｘ）のキーに付された文字・記号が見えるようにする必要がある。
【００１１】
また、境界線（Ｙ）、あるいはエリア（Ｙ′）を形成して異なった色の線を着色するに際して、境界線（Ｙ）に付着する色は濃くても問題はないが、エリア（Ｙ′）に着色する色は、薄い着色がよいものである。それは、薄い着色にすることによってキーの表面に記載された文字・記号の判読が可能な程度にする必要があるからである。
【００１２】
さらに、両手の指にそれぞれ装着する装着部材（２）は、布、毛糸、紐、ゴム、指輪状のものが考えられ、これらから選ばれたものであり、これらには、キーボードカバー（１）に着色した色（４）と対応して同じ色に形成されている。
【００１３】
次に、この考案の使用方法を説明すると、キーボードカバー（１）の左右両側に、それぞれ着色された境界線（Ｙ）あるいは、境界線に囲まれたエリア（Ｙ′）の色と、同一な色の装着部材（２）を装着した左右の手の指を使ってその境界線（Ｙ）内、あるいはエアア（Ｙ′）のキーを叩くものである。
【産業上の利用可能性】
【００１４】
この考案のパソコン用キーボードの練習用具の技術を確立し、かつ、この装置を実施・販売することにより産業上の利用可能性がある。
【図面の簡単な説明】
【００１５】
【図１】この考案の一実施例を示す一部欠截平面図である。
【図２】この考案の一実施例を示すキーボードカバーの一部欠截側面図である。
【図３】この考案の他の実施例を示すキーボードカバーの一部欠截側面図である。
【符号の説明】
【００１６】
１  キーボードカバー
２  装着部材
３  キーの凸部
４  色
Ｘ  パソコン用キーボード
Ｙ  境界線
Ｙ′エリア
Ｚ  メインのキー
【図１】
0003138001.tif 000003
【図２】
0003138001.tif 000004
【図３】
0003138001.tif 000005